【手続補正書】
【提出日】平成17年11月30日(2005.11.30)
【手続補正１】
【補正対象書類名】明細書
【補正対象項目名】発明の名称
【補正方法】変更
【補正の内容】
【発明の名称】無線接続装置、無線接続方法及び無線接続プログラム
【手続補正２】
【補正対象書類名】明細書
【補正対象項目名】特許請求の範囲
【補正方法】変更
【補正の内容】
【特許請求の範囲】
【請求項１】
予め割り当てられた識別情報と同じ識別情報を受信した際に無線接続を許可する基地局と無線接続する無線接続装置において、
１又は複数の上記基地局にそれぞれ割り当てられた上記識別情報を記憶する記憶手段と、
上記基地局と無線通信する無線通信手段と、
上記基地局に対する無線接続要求に応じて、上記記憶手段から上記識別情報を読み出し、当該読み出した上記識別情報を順次上記基地局に送信するように上記無線通信手段を制御する制御手段と
を具えることを特徴とする無線接続装置。
【請求項２】
上記記憶手段は、
無線周波数帯域内の複数の周波数チャネルのうちいずれか１つの当該周波数チャネルがそれぞれ無線通信用に割り当てられている１又は複数の上記基地局にそれぞれ割り当てられた上記識別情報を記憶し、
上記制御手段は、
上記基地局に対する上記無線接続要求に応じて、順次１つの上記周波数チャネルで、上記記憶手段に記憶された上記識別情報を順次送信することにより、複数の上記周波数チャネルでそれぞれ上記識別情報を送信するように上記無線通信手段を制御する
ことを特徴とする請求項１に記載の無線接続装置。
【請求項３】
上記記憶手段は、
無線周波数帯域内の複数の周波数チャネルのうちいずれか１つの当該周波数チャネルが無線通信用に割り当てられている１又は複数の上記基地局にそれぞれ割り当てられた上記識別情報を記憶し、
上記制御手段は、
上記基地局に対する上記無線接続要求に応じて、順次１つの上記識別情報を複数の上記周波数チャネルそれぞれで送信することにより、上記記憶手段に記憶された上記識別情報をそれぞれ複数の上記周波数チャネルで送信するように上記無線通信手段を制御する
ことを特徴とする請求項１に記載の無線接続装置。
【請求項４】
上記記憶手段は、
１又は複数の上記基地局にそれぞれ割り当てられた上記識別情報と、当該基地局と無線接続した際に無線通信に使用する所定のプログラムとを対応付けて記憶し、
上記制御手段は、
上記無線通信手段を制御して、上記記憶手段に記憶された上記識別情報のうちいずれか１つの上記識別情報を送信した結果、上記基地局により上記無線接続が許可されると、上記記憶手段から上記いずれか１つの上記識別情報に対応する上記所定のプログラムを読み出す
ことを特徴とする請求項１に記載の無線接続装置。
【請求項５】
上記記憶手段は、
無線周波数帯域内の複数の周波数チャネルのうちいずれか１つの当該周波数チャネルが無線通信用に割り当てられ、当該割り当てられた上記周波数チャネルと同じ周波数チャネルで返答要求信号を受信した際に返答信号を返信する１又は複数の上記基地局にそれぞれ割り当てられた上記識別情報を記憶し、
上記制御手段は、
上記基地局に対する上記無線接続要求に応じて、複数の上記周波数チャネルでそれぞれ上記返答要求信号を送信することにより、上記基地局から返信された上記返答信号の上記周波数チャネルで、上記記憶手段に記憶された上記識別情報を順次送信するように上記無線通信手段を制御する
ことを特徴とする請求項１に記載の無線接続装置。
【請求項６】
予め割り当てられた識別情報と同じ識別情報を受信した際に無線接続を許可する基地局と無線接続する無線接続方法において、
上記基地局に対する無線接続要求を受け取る受取ステップと、
上記無線接続要求に応じて、１又は複数の上記基地局にそれぞれ割り当てられた上記識別情報を記憶している記憶手段から上記識別情報を読み出すと共に、当該読み出した上記識別情報を順次上記基地局に送信する識別情報送信ステップと
を具えることを特徴とする無線接続方法。
【請求項７】
上記受取ステップは、
無線周波数帯域内の複数の周波数チャネルのうちいずれか１つの当該周波数チャネルがそれぞれ無線通信用に割り当てられている上記基地局に対する上記無線接続要求を受け取り、
上記識別情報送信ステップは、
上記無線接続要求に応じて、上記記憶手段から上記識別情報を読み出すと共に、順次１つの上記周波数チャネルで、上記記憶手段から読み出した上記識別情報を順次送信することにより、複数の上記周波数チャネルでそれぞれ上記識別情報を送信する
ことを特徴とする請求項６に記載の無線接続方法。
【請求項８】
上記受取ステップは、
無線周波数帯域内の複数の周波数チャネルのうちいずれか１つの当該周波数チャネルが無線通信用に割り当てられている上記基地局に対する上記無線接続要求を受け取り、
上記識別情報送信ステップは、
上記無線接続要求に応じて、上記記憶手段から上記識別情報を読み出すと共に、順次１つの上記識別情報を複数の上記周波数チャネルそれぞれで送信することにより、上記記憶手段から読み出した上記識別情報をそれぞれ複数の上記周波数チャネルで送信する
ことを特徴とする請求項６に記載の無線接続方法。
【請求項９】
上記記憶手段から読み出した上記識別情報のうちいずれか１つの上記識別情報を送信した結果、上記基地局により上記無線接続が許可されると、１又は複数の上記基地局にそれぞれ割り当てられた上記識別情報と、当該基地局と無線接続した際に無線通信に使用する所定のプログラムとを対応付けて記憶している上記記憶手段から上記いずれか１つの上記識別情報に対応する上記所定のプログラムを読み出すプログラム読出ステップ
を具えることを特徴とする請求項６に記載の無線接続方法。
【請求項１０】
無線周波数帯域内の複数の周波数チャネルのうちいずれか１つの当該周波数チャネルが無線通信用に割り当てられ、当該割り当てられた上記周波数チャネルと同じ周波数チャネルで返答要求信号を受信した際に返答信号を返信する上記基地局に対して、複数の上記周波数チャネルでそれぞれ上記返答要求信号を送信する返答要求信号送信ステップ
を具え、
上記識別情報送信ステップは、
上記返答要求信号を送信した結果、上記基地局から返信された上記返答信号の上記周波数チャネルで、上記記憶手段から読み出した上記識別情報を順次送信する
ことを特徴とする請求項６に記載の無線接続方法。
【請求項１１】
コンピュータに、
予め割り当てられた識別情報と同じ識別情報を受信した際に無線接続を許可する基地局に対する無線接続要求を受け取る受取ステップと、
上記無線接続要求に応じて、１又は複数の上記基地局にそれぞれ割り当てられた上記識別情報を記憶している記憶手段から上記識別情報を読み出すと共に、当該読み出した上記識別情報を順次上記基地局に送信する識別情報送信ステップと
を実行させるための無線接続プログラム。
【請求項１２】
上記受取ステップは、
無線周波数帯域内の複数の周波数チャネルのうちいずれか１つの当該周波数チャネルがそれぞれ無線通信用に割り当てられている上記基地局に対する上記無線接続要求を受け取り、
上記識別情報送信ステップは、
上記無線接続要求に応じて、上記記憶手段から上記識別情報を読み出すと共に、順次１つの上記周波数チャネルで、上記記憶手段から読み出した上記識別情報を順次送信することにより、複数の上記周波数チャネルでそれぞれ上記識別情報を送信する
ことを特徴とする請求項１１に記載の無線接続プログラム。
【請求項１３】
上記受取ステップは、
無線周波数帯域内の複数の周波数チャネルのうちいずれか１つの当該周波数チャネルが無線通信用に割り当てられている上記基地局に対する上記無線接続要求を受け取り、
上記識別情報送信ステップは、
上記無線接続要求に応じて、上記記憶手段から上記識別情報を読み出すと共に、順次１つの上記識別情報を複数の上記周波数チャネルそれぞれで送信することにより、上記記憶手段から読み出した上記識別情報をそれぞれ複数の上記周波数チャネルで送信する
ことを特徴とする請求項１１に記載の無線接続プログラム。
【請求項１４】
上記記憶手段から読み出した上記識別情報のうちいずれか１つの上記識別情報を送信した結果、上記基地局により上記無線接続が許可されると、１又は複数の上記基地局にそれぞれ割り当てられた上記識別情報と、当該基地局と無線接続した際に無線通信に使用する所定のプログラムとを対応付けて記憶している上記記憶手段から上記いずれか１つの上記識別情報に対応する上記所定のプログラムを読み出すプログラム読出ステップ
を具えることを特徴とする請求項１１に記載の無線接続プログラム。
【請求項１５】
無線周波数帯域内の複数の周波数チャネルのうちいずれか１つの当該周波数チャネルが無線通信用に割り当てられ、当該割り当てられた上記周波数チャネルと同じ周波数チャネルで返答要求信号を受信した際に返答信号を返信する上記基地局に対して、複数の上記周波数チャネルでそれぞれ上記返答要求信号を送信する返答要求信号送信ステップ
を具え、
上記識別情報送信ステップは、
上記返答要求信号を送信した結果、上記基地局から返信された上記返答信号の上記周波数チャネルで、上記記憶手段から読み出した上記識別情報を順次送信する
ことを特徴とする請求項１１に記載の無線接続プログラム。
【手続補正３】
【補正対象書類名】明細書
【補正対象項目名】０００１
【補正方法】変更
【補正の内容】
【０００１】
【発明の属する技術分野】
本発明は無線接続装置、無線接続方法及び無線接続プログラムに関し、例えば無線ＬＡＮ（Local Area Network）を構築する無線ＬＡＮ用の基地局（以下、アクセスポイントと呼ぶ）と無線接続装置とが無線接続する場合に適用して好適なものである。
【手続補正４】
【補正対象書類名】明細書
【補正対象項目名】０００７
【補正方法】変更
【補正の内容】
【０００７】
本発明は以上の点を考慮してなされたもので、無線接続装置と基地局とを容易に無線接続し得る無線接続装置、無線接続方法及び無線接続プログラムを提案しようとするものである。
【手続補正５】
【補正対象書類名】明細書
【補正対象項目名】０００８
【補正方法】変更
【補正の内容】
【０００８】
【課題を解決するための手段】
かかる課題を解決するため本発明においては、予め割り当てられた識別情報と同じ識別情報を受信した際に無線接続を許可する基地局と無線接続する無線接続装置において、制御手段により、基地局に対する無線接続要求に応じて、１又は複数の基地局にそれぞれ割り当てられた識別情報を記憶する記憶手段から識別情報を読み出し、当該読み出した識別情報を順次基地局に送信するように、当該基地局と無線通信する無線通信手段を制御するようにした。
【手続補正６】
【補正対象書類名】明細書
【補正対象項目名】０１２１
【補正方法】変更
【補正の内容】
【０１２１】
また上述した第１及び第２の実施の形態においては、自己に割り当てられた周波数チャネルで当該自己に割り当てられたＳＳＩＤが接続要求信号Ｓ１として送信されたときのみその接続要求信号Ｓ１を受信するアクセスポイント５に無線接続装置３及び５２を無線接続するようにした場合について述べたが、本発明はこれに限らず、自己に割り当てられた周波数チャネルで当該自己に割り当てられたＳＳＩＤが接続要求信号Ｓ１として送信されると、その接続要求信号Ｓ１を受信するものの、自己に割り当てられた周波数チャネルで送信された返答要求信号を受信し、これに応じてその周波数チャネルで返答信号を返信するアクセスポイントに無線接続装置３及び５２を無線接続するようにしても良い。
【手続補正７】
【補正対象書類名】明細書
【補正対象項目名】０１３３
【補正方法】変更
【補正の内容】
【０１３３】
さらに上述した第１及び第２の実施の形態においては、基地局に対する無線接続要求に応じて、記憶手段から識別情報を読み出し、当該読み出した識別情報を順次基地局に送信するように無線通信手段を制御する制御手段として、図１〜図１０について上述したＣＰＵでなる無線接続制御部２４及び５５を適用するようにした場合について述べたが、本発明はこれに限らず、ＣＰＵ及びＲＡＭ（Random Access Memory）並びにＲＯＭ（Read Only Memory）等からなるマイクロプロセッサ等のように、この他種々の制御手段を広く適用することができる。
【手続補正８】
【補正対象書類名】明細書
【補正対象項目名】０１３４
【補正方法】変更
【補正の内容】
【０１３４】
【発明の効果】
上述のように本発明によれば、予め割り当てられた識別情報と同じ識別情報を受信した際に無線接続を許可する基地局と無線接続する無線接続装置において、制御手段により、基地局に対する無線接続要求に応じて、１又は複数の基地局にそれぞれ割り当てられた識別情報を記憶する記憶手段から識別情報を読み出し、当該読み出した識別情報を順次基地局に送信するように、当該基地局と無線通信する無線通信手段を制御するようにしたことにより、識別情報の入力操作を必要とせずに無線接続要求を入力させるだけの簡単な操作で、基地局に対する無線接続処理を実行することができ、かくして無線接続装置と基地局とを容易に無線接続し得る無線接続装置、無線接続方法及び無線接続プログラムを実現することができる。